(57)【要約】【課題】所望形状および寸法の氷塊を安定して生成する。【解決手段】流下式製氷機には、製氷水散水器と製氷板との間に、製氷水散水器から散水された製氷水を製氷板の製氷面に案内する散水案内器４０が設けられる。散水案内器４０は、各突条部の上方に位置する被覆部４２と、突条部の突出端側から製氷面側へ向かうにつれて下方傾斜する姿勢で、製氷面に臨むように隣り合う被覆部間に設けられ、傾斜下端と製氷面との間に画成されるスリットを介して製氷面に製氷水を案内する案内部４４と、案内部４４の上端に設けられ、被覆部４２の上端より低く形成した切欠部４８とを備えている。【選択図】図４
2008292021.tif 000002
【特許請求の範囲】
【請求項１】
上下方向に延在する突条部(20)が横方向に間隔をあけて形成され、隣り合う突条部(20,20)の間に設けた製氷面(22a)に対して供給される製氷水から氷塊(M)が生成される製氷板(18)と、この製氷板(18)の下方に設けられ、製氷板(18)の製氷面(22a)から流下する製氷水を回収する製氷水タンク(26)とを有する流下式製氷機における前記製氷板(18)の上方に設けられ、前記製氷水タンク(26)から供給される製氷水を、製氷板(18)の製氷面(22a)に案内する散水案内器において、
前記各突条部(20)の上方に位置する被覆部(42)と、
前記突条部(20)の突出端側から前記製氷面(22a)側へ向かうにつれて下方傾斜する姿勢で、製氷面(22a)に臨むように隣り合う被覆部(42,42)間に設けられ、傾斜下端と製氷面(22a)との間に画成されるスリット(44a)を介して製氷面(22a)に製氷水を案内する案内部(44)と、
前記案内部(44)の上端に設けられ、前記被覆部(42)の上端より低く形成した切欠部(48)とを備えた
ことを特徴とする流下式製氷機の散水案内器。
【請求項２】
前記切欠部(48)を、前記案内部(44)の上端全体に亘って形成した請求項１記載の流下式製氷機の散水案内器。
【請求項３】
前記切欠部(48)を、前記案内部(44)の上端全体より狭小な幅で、前記被覆部(42)から離して前記案内部(44)の上端に形成した請求項１記載の流下式製氷機の散水案内器。
【発明の詳細な説明】
【技術分野】
【０００１】
この発明は、製氷水を製氷板の製氷面に案内する流下式製氷機の散水案内器に関するものである。
【背景技術】
【０００２】
氷塊を自動的に製造する製氷機としては、安価に大量の氷塊を生成し得る流下式製氷機が知られている(例えば、特許文献１参照)。この流下式製氷機は、貯氷庫に内部画成した貯氷室の上方に、氷塊を生成する製氷ユニットを備えている。
【０００３】
図８または図９に示すように、製氷ユニット１５は、略垂直な姿勢で対向配置される一対の製氷板１８,１８と、両製氷板１８,１８の裏面間に配設した蒸発管２４とを備え、製氷運転に際して蒸発管２４に冷媒を流通することで、各製氷板１８が強制冷却される。各製氷板１８には、上下方向へ延在する複数の突条部２０が横方向に所定間隔毎に設けられ、隣り合う突条部２０,２０により、該製氷板１８の表面に上下方向に延在する製氷面２２ａが画成される。また製氷ユニット１５は、一対の製氷板１８,１８の下方に配設されて、製氷水を貯留する製氷水タンク(図示せず)と、一対の製氷板１８,１８の上方に配設され、製氷水タンクから供給される製氷水を製氷板１８の製氷面２２ａに散水する製氷水散水器３２とを備えている。更に、製氷ユニット１５では、製氷水散水器３２と製氷板１８の上部との間に散水案内器７０を設けて、この散水案内器７０によって、製氷水散水器３２から散水された製氷水を各製氷板１８における夫々の製氷面２２ａの上部に案内するようになっている。そして、製氷ユニット１５では、製氷水が製氷面２２ａを流下する過程で氷結すると共に、製氷面２２ａの下端縁から流下する未氷結の製氷水は、製氷水タンクに回収されて、製氷水散水器３２および散水案内器７０を介して製氷面２２ａに再び供給される。
【０００４】
前記散水案内器７０には、突条部２０の上方に位置する被覆部７２と、この被覆部７２に接続して製氷面２２ａに対応して設けられ、突条部２０の突出端側から製氷面２２ａへ向かうにつれて下方傾斜する案内部７４とが、長手辺に並べて形成されている。ここで、散水案内器７０において、案内部７４の上端は、被覆部７２の上端と同一高さで形成されている。また、散水案内器７０では、案内部７４の傾斜下端が対応の製氷面２２ａから僅かな隙間をあけて位置するように設定されている。そして、散水案内器７０では、製氷水散水器３２の散水孔３２ａから散水された製氷水を案内部７４で案内し、案内部７４の傾斜下端と製氷面２２ａとの間に画成されるスリット７４ａを介して製氷面２２ａに対して製氷水を供給するようになっている。
【特許文献１】実開平７−６６５７号公報
【発明の開示】
【発明が解決しようとする課題】
【０００５】
前述した如く、流下式製氷機では、製氷運転において、製氷水は製氷板１８で冷却されて一部が氷結すると共に、未氷結の製氷水は製氷水タンクに回収されて、製氷板１８に再び供給される循環サイクルが繰り返される。製氷板１８での冷却によって未氷結の製氷水も次第に冷却されるので、０℃以下まで温度低下した過冷却状態となった一時期に、綿氷と呼ばれる氷粒が製氷水中に生じることがある。綿氷を含んだ製氷水が散水案内器７０に供給された場合、前記スリット７４ａが綿氷で塞がれて、スリット７４ａから製氷水が散水されず、製氷水が散水案内器７０の上端縁を越えて散水案内器７０の外側へオーバーフローする。特に、散水案内器７０において、被覆部７２の上端からオーバーフローする製氷水は、被覆部７２の下方に位置する突条部２０を伝って流下することになる(図９参照)。すなわち、製氷板１８の製氷面２２ａから流下する未氷結の製氷水を回収することを主に想定している製氷水タンクでは、製氷面２２ａから突出した突条部２０から流下する製氷水を回収することができず、製氷水が製氷水タンク外に漏出してしまう。このため、製氷運転において、製氷水が不足して、製氷板１８に必要量の製氷水を供給することができないので、氷塊Ｍを十分に成長させることができずに異形氷が発生して、氷塊Ｍの商品性を損なってしまう問題があった。
【０００６】
また、製氷水タンクに回収されない製氷水は、製氷ユニット１５の下方に位置する貯氷室やその他の部位に垂れ、特に貯氷室に滴下した場合には、貯氷室に貯蔵した氷塊Ｍの溶融や氷塊Ｍのブッロキング等の弊害を引き起こす難点がある。更に、電気機器や可動部品等の他の部材に製氷水が滴下した場合には、これらの部材の故障や損傷の原因となる。しかも、製氷板１８の両側部に位置する突条部２０を伝って流下する製氷水は、製氷板１８の側部から突出した蒸発管２４や製氷板１８の側部に設けた他の部材にも一部が案内されるので、蒸発管２４等で製氷水が氷結することがある。この際、蒸発管２４と製氷板１８との熱交換を阻害して、製氷面２２ａでの氷塊Ｍの生成の妨げになったり、蒸発管２４の損傷等の原因となる不都合もある。
【０００７】
すなわち本発明は、従来の技術に係る流下式製氷機の散水案内器に内在する前記問題に鑑み、これらを好適に解決するべく提案されたものであって、所望形状および寸法の氷塊を安定して形成できる流下式製氷機の散水案内器を提供することを目的とする。
【課題を解決するための手段】
【０００８】
前記課題を克服し、所期の目的を達成するため、本願の請求項１に係る発明の流下式製氷機の散水案内器は、
上下方向に延在する突条部が横方向に間隔をあけて形成され、隣り合う突条部の間に設けた製氷面に対して供給される製氷水から氷塊が生成される製氷板と、この製氷板の下方に設けられ、製氷板の製氷面から流下する製氷水を回収する製氷水タンクとを有する流下式製氷機における前記製氷板の上方に設けられ、前記製氷水タンクから供給される製氷水を、製氷板の製氷面に案内する散水案内器において、
前記各突条部の上方に位置する被覆部と、
前記突条部の突出端側から前記製氷面側へ向かうにつれて下方傾斜する姿勢で、製氷面に臨むように隣り合う被覆部間に設けられ、傾斜下端と製氷面との間に画成されるスリットを介して製氷面に製氷水を案内する案内部と、
前記案内部の上端に設けられ、前記被覆部の上端より低く形成した切欠部(48)とを備えたことを特徴とする。
請求項１に係る発明によれば、スリットが綿氷で閉塞した際に、切欠部から製氷水をオーバーフローさせることができる。すなわち、切欠部からオーバーフローした製氷水は、案内部の外面に沿って製氷板側に案内されると共に、被覆部から製氷水がオーバーフローしないので、突条部を伝って製氷水が流下することを抑制し得る。そして、綿氷が発生しても製氷水を製氷水タンクに回収することができるので、製氷運転において製氷水不足を回避し得る。従って、所望形状および寸法の氷塊を安定して生成することができる。
【０００９】
請求項２に係る発明では、前記切欠部を、前記案内部の上端全体に亘って形成したことを要旨とする。
請求項２に係る発明によれば、製氷水の供給量が多い場合であっても、綿氷でスリットが閉塞した際に切欠部から製氷水を確実にオーバーフローさせることができる。
【００１０】
請求項３に係る発明では、前記切欠部を、前記案内部の上端全体より狭小な幅で、前記被覆部から離して前記案内部の上端に形成したことを要旨とする。
請求項３に係る発明によれば、被覆部から離して切欠部が設けられているので、綿氷でスリットが閉塞した際に、切欠部からオーバーフローした製氷水が、突条部から離れた案内部の外面および製氷板の製氷面を伝って流下する。よって、製氷水が突条部に伝うことをより確実に抑制できる。
【発明の効果】
【００１１】
本発明に係る流下式製氷機の散水案内器によれば、スリットが閉塞した場合であっても、切欠部からオーバーフローした製氷水を製氷水タンクで回収できるから、製氷水不足を回避して、所望形状および寸法の氷塊を安定して生成することができる。
【発明を実施するための最良の形態】
【００１２】
次に、本発明に係る流下式製氷機の散水案内器につき、好適な実施例を挙げて、添付図面を参照して以下に説明する。なお、製氷板の表面とは、氷塊を生成する側をいい、裏面とは製氷板を冷却する蒸発管が配設される側をいう。
【実施例】
【００１３】
図１に示すように、流下式製氷機１０には、氷塊Ｍを生成する製氷ユニット１６が断熱箱体１２の内部に画成された貯氷室１４の上方に配設され、製氷ユニット１６から放出された氷塊Ｍが貯氷室１４で貯蔵されるようになっている。図２または図３に示すように、製氷ユニット１６は、略垂直な姿勢で間隔をあけて対向配置した一対の製氷板１８,１８と、両製氷板１８,１８の対向面間に配設した蒸発管２４と、両製氷板１８,１８の直下に設けられ、製氷水を貯留すると共に両製氷板１８,１８から流下する製氷水を回収する製氷水タンク２６とを備えている。また製氷ユニット１６は、製氷水タンク２６から両製氷板１８,１８の表面側に製氷水を供給する製氷水供給手段３０と、水道等の外部給水源に接続され、除氷運転に際して両製氷板１８,１８の裏面に除氷水を供給する除氷水供給手段３８とを備えている。
【００１４】
前記製氷板１８は、該製氷板１８の横方向に間隔をあけて設けられ、上下方向に延在する複数の突条部２０と、隣り合う突条部２０,２０の間に画成される製氷部２２とから構成される。すなわち製氷板１８は、平面視において山形の突条部２０と平坦な製氷部２２とが連なるジグザグ状に形成される。各突条部２０は、他方の製氷板１８から離間する側に突出するように形成され、製氷板１８の表面側が凸となっている。なお、製氷板１８の両側部には、突条部２０が夫々配置される。ここで、一対の製氷板１８,１８は、同一の構成であって、蒸発管２４を挟んで対称な関係で設置されている。
【００１５】
前記製氷部２２は、製氷板１８の表面側が氷塊Ｍが生成される製氷面２２ａとなり、上下方向に延在する製氷面２２ａにおいて、複数の氷塊Ｍが上下方向に離間して生成されるように設定されている。また製氷部２２には、製氷面２２ａにおける氷塊Ｍが生成される製氷位置の下方に対応して、氷塊Ｍを製氷面２２ａから剥離させる突起２２ｂが夫々形成されている。各突起２２ｂは、製氷面２２ａに臨む底面が横方向に長い矩形状に形成されると共に、断面が図３に示すように上下面が斜辺となる三角形状に形成されている。
【００１６】
前記蒸発管２４は、反復する蛇行状に形成されており、図２に示す如く直線部２４ａを横方向に延在すると共に曲部２４ｂを製氷板１８の側部に位置させた状態で、両製氷板１８,１８の対向面間に設置される。また、蒸発管２４において、製氷板１８の上下方向に離間して延在する直線部２４ａは、各製氷板１８における製氷部２２の裏面に当接し、この直線部２４ａの当接部位に対応する製氷部２２の製氷面２２ａが、氷塊Ｍが生成される前記製氷位置となる。蒸発管２４は、図示しない冷凍装置の一部を構成し、製氷運転に際して、蒸発管２４に流通する冷媒との熱交換により、各製氷板１８の製氷部２２を強制冷却するようになっている。
【００１７】
前記製氷水タンク２６は、上部が開口する箱状に形成されている。また、製氷水タンク２６は、横寸法が製氷板１８の横方向の寸法と略同一で、前後寸法が一方の製氷板１８における突条部２０の突出端から他方の製氷板１８における突条部２０の突出端までの寸法と略同一に設定される。製氷水タンク２６の上部開口は、両製氷板１８,１８における製氷部２２および突条部２０の直下に配置され、両製氷板１８,１８から流下する未氷結の製氷水および除氷水供給手段３８から供給された除氷水を受容して、製氷運転で使用する製氷水として貯留するようになっている。また、製氷水タンク２６の上端部には、除氷運転に際して両製氷板１８,１８から離脱した氷塊Ｍを貯氷室１４に案内する氷案内部材２８が装着されている。氷案内部材２８は、両製氷板１８,１８の対向方向の断面が山形に形成され(図１参照)、この山形の頂部が、両製氷板１８,１８の裏面間の中間位置に臨むように配置され、対応の製氷板１８の下方に位置する傾斜面２８ａで氷塊Ｍを夫々案内するようになっている。氷案内部材２８の各傾斜面２８ａには、複数の通孔２８ｂが開設されており、未氷結の製氷水および除氷水と氷塊Ｍとが氷案内部材２８で分離されて、製氷水等だけが製氷水タンク２６に回収される。
【００１８】
前記製氷水供給手段３０は、一対の製氷板１８,１８の上方に設けられ、各製氷板１８に対して製氷水を供給する製氷水散水器３２と、製氷水タンク２６から製氷水パイプ３４を介して製氷水散水器３２へ製氷水を圧送する製氷水ポンプ３１と、製氷水散水器３２と一対の製氷板１８,１８との間に設けられた散水案内器４０とから構成される(図２参照)。製氷水散水器３２は、製氷板１８の横方向全体に亘って延在する長尺な中空筒状の部材であって、一側部に製氷水パイプ３４が接続されると共に下面に複数の散水孔３２ａが開設されている。製氷水散水器３２は、製氷運転時に製氷水タンク２６から圧送される製氷水を各散水孔３２ａから散布するようになっている。
【００１９】
図４または図５に示すように、前記散水案内器４０は、製氷板１８の横方向全体に亘って延在するように形成された長尺な部材であって、製氷水散水器３２の下面に相対した状態で一対の製氷板１８,１８の上部に取付けられる。また散水案内器４０は、各製氷板１８における各突条部２０の上部に位置する被覆部４２と、各製氷板１８における各製氷部２２に対応して位置する案内部４４とからなる案内列が、各製氷板１８に対応して長手辺に沿って対称な関係で夫々形成されている。
【００２０】
前記各被覆部４２は、水平方向に延在する水平片４２ａと、この水平片４２ａの両側縁から夫々垂下する側片４２ｂとから構成される。そして、各被覆部４２は、散水案内器４０を製氷板１８に組付けた際に、水平片４２ａが突条部２０の上端を覆うと共に、側片４２ｂが突条部２０における表面側の対応する側面上部を覆うようになっている。なお、散水案内器４０において、対向する前記案内列は、対向する被覆部４２,４２の間に架設された連結部４６で接続されている(図４参照)。
【００２１】
前記各案内部４４は、横方向に隣り合う被覆部４２,４２の対向する側片４２ｂ,４２ｂに接続して設けられ、上方から下方に向かうにつれて一方(実施例では他方の案内列側へ近接する方向)へ傾斜するように形成されている。すなわち、散水案内器４０を製氷板１８に組付けた際に、各案内部４４は、突条部２０の突出端側から製氷部２２の製氷面２２ａへ向かうにつれて下方傾斜するよう形成される(図５参照)。また、各案内部４４の傾斜下端と製氷面２２ａとの間には、製氷水の流下を許容するスリット４４ａが画成される(図３参照)。なお、各案内部４４の横幅は、対応する製氷部２２における製氷面２２ａの横幅と略同一寸法に設定されている。そして、各案内部４４は、該案内部４４に対応して夫々設けられた製氷水散水器３２の散水孔３２ａから散水された製氷水を受けて、対応の製氷部２２の製氷面２２ａにスリット４４ａを介して製氷水を案内するようになっている。
【００２２】
前記各案内部４４の上端には、被覆部４２の上端より低く設定した切欠部４８が形成されている。すなわち、各案内部４４では、横方向に隣り合う被覆部４２の水平片４２ａより低い位置に設けた上端縁が切欠部４８として機能する。実施例では、案内部４４の上端全体に亘って被覆部４２の水平片４２ａより低い位置に上端縁を設けており、案内部４４の上端全体(横方向に隣り合う被覆部４２,４２の間)に亘って切欠部４８が形成されている。そして、散水案内器４０では、前記スリット４４ａが綿氷で閉塞した際に、製氷水が切欠部４８のみからオーバーフローするようになっている。切欠部４８は、突条部２０の突出端より製氷面２２ａ側に位置して、切欠部４８の直下には、製氷水タンク２６の上部開口が臨んでいる。なお、実施例では、切欠部４８が被覆部４２の上端から１ｍｍ〜１０ｍｍ程度低くなるように設定される。ここで、散水案内器４０は、被覆部４２、案内部４４および連結部４６の各部が一体的に形成された合成樹脂の成型品が採用されている。
【００２３】
前記除氷水供給手段３８は、散水案内器４０における連結部４６の下方で、両製氷板１８,１８の裏面間における上部に取付けられている。除氷水供給手段３８は、下方に開口する供給孔３８ａを備えた管状体であって、一側部に外部水道源に給水弁ＷＶを介して接続する除氷水パイプが接続されている。そして、除氷水供給手段３８は、除氷運転に際して、給水弁ＷＶの開放により両製氷板１８,１８の裏面に除氷水を、供給孔３８ａから散布するようになっている。なお、散水案内器４０の連結部４６には、除氷水供給手段３８の外形に合わせて形成した溝部４６ａが設けられ、除氷水供給手段３８は、溝部４６ａにより位置決めされている。
【００２４】
〔実施例の作用〕
次に、実施例に係る散水案内器４０の作用について説明する。製氷運転では、製氷水ポンプ３１を駆動することで、製氷水タンク２６に貯留されている製氷水が、製氷水パイプ３４を介して製氷水散水器３２に供給される。製氷水は、製氷水散水器３２の散水孔３２ａから該散水孔３２ａに対向する散水案内器４０の各案内部４４に夫々散水され、案内部４４の傾斜に案内されて流下し、案内部４４の傾斜下端に画成されたスリット４４ａから製氷板１８における対応の製氷面２２ａに供給される。製氷水は、製氷板１８の製氷面２２ａを膜状に流下し、蒸発管２４を流通する冷媒との熱交換により冷却された製氷位置を中心として、徐々に氷結を始める。そして、氷結することなく両製氷板１８,１８から流下する製氷水は、氷案内部材２８の通孔２８ｂを介して製氷水タンク２６に回収され、両製氷板１８,１８に再び供給される。
【００２５】
前記未氷結の製氷水は、製氷板１８での冷却によって次第に冷却されて、０℃以下まで温度低下した過冷却状態となった一時期に綿氷が発生することがある。製氷板１８の製氷面２２ａと案内部４４の傾斜下端とで画成されるスリット４４ａは、狭小な間隔で設定されているから、氷水に含まれる綿氷が多くなると、スリット４４ａに綿氷が引っ掛かって次第に堆積して、製氷水の流通を妨げる。そして、スリット４４ａから流下する製氷水の量より案内部４４に製氷水散水器３２から散水される製氷水の量が多くなると、製氷板１８の製氷面２２ａと案内部４４との間に製氷水が溜まる。溜まった製氷水は、案内部４４の上端に形成された切欠部４８を越えて散水案内器４０の外方へオーバーフローする。
【００２６】
ここで、散水案内器４０の切欠部４８は、被覆部４２の上端より低く設定されているので、被覆部４２から製氷水をオーバーフローさせることなく、切欠部４８のみから製氷水をオーバーフローさせることができる。切欠部４８からオーバーフローした製氷水は、案内部４４の外面を伝って製氷面２２ａ側に流下して、一部が製氷板１８の製氷面２２ａに流下すると共に、他の部分が案内部４４の傾斜下端から下方に流れ落ちる。各製氷板１８における製氷面２２ａの下方および案内部４４における傾斜下端の下方には、製氷水タンク２６が配置されているから、切欠部４８からオーバーフローした製氷水は、製氷水タンク２６に回収される。しかも、案内部４４の上端全体に亘って切欠部４８を設けてあるので、オーバーフローする製氷水が多くても、製氷板１８の製氷面２２ａ側へ向けて製氷水を円滑に案内することができる。
【００２７】
また、案内部４４の上端に切欠部４８を形成して、被覆部４２の上端より低く設定することで、スリット４４ａが綿氷で閉塞しても被覆部４２から製氷水がオーバーフローすることを回避できる。案内部４４は、製氷板１８における製氷部２２の製氷面２２ａに対応して設けられており、案内部４４の上端全体に亘って切欠部４８を設けても、オーバーフローした製氷水は製氷面２２ａへ向けて主に案内されて、突条部２０を伝って流下する製氷水を最小限にとどめることができる。
【００２８】
このように、スリット４４ａが綿氷で閉塞して散水案内器４０から製氷水があふれても、未氷結の製氷水を製氷水タンク２６でほぼ全量回収できるので、製氷運転において製氷水不足を回避し得る。従って、製氷運転において、綿氷の発生の有無にかかわらず、所望形状および所望寸法の氷塊Ｍを安定して生成することができる。また、切欠部４８からオーバーフローした製氷水は、案内部４４の外面を伝って製氷板１８側に近づくように案内されて、突条部２０を伝って流下する製氷水が最小限に抑えられているので、製氷水タンク２６を大きく設定しなくても、外部への製氷水の流出を抑えることができる。更に、突条部２０に伝う製氷水を最小限に抑えているから、蒸発管２４での製氷水の氷結を抑制でき、製氷板１８における製氷効率の低下や蒸発管２４の損傷等が発生するおそれが少ない。
【００２９】
更に、製氷水タンク２６に回収されずに外部に流出する製氷水を抑えることができるので、製氷ユニット１６の下方に位置する貯氷室１４に貯蔵された氷塊Ｍや、電気部品や可動部品等の他の部材に製氷水が滴下することを抑制できる。すなわち、製氷水を原因として、貯氷室１４の氷塊Ｍが融解したり、氷塊同士が接合してブロッキングしたりすることは少なく、氷塊Ｍの商品性を損なうことを回避し得る。また、製氷水が付着したり、製氷水が氷結することを予定しない他の部材の故障や損傷を抑制できるので、これらの部材の寿命を向上し得る。
【００３０】
なお、綿氷は、製氷運転のたびに必ず発生するものではなく、綿氷が発生したとしても除氷運転において各製氷板１８を加温するのに伴って、綿氷は融解除去される。
【００３１】
(変更例)
本発明は、前述の実施例の構成に限定されず、以下の如く変更することも可能である。
(１)実施例では、切欠部を案内部４４の上端全体に亘って形成したが、図６および図７に示す変更例に係る散水案内器５０の如く、切欠部４８を、被覆部４２から離して案内部４４の上端中央に該案内部４４の上端全体より狭小な幅で形成してもよい。変更例の切欠部４８は、案内部４４の上端全体の幅の１／２程度に設定されている。変更例の散水案内器５０によれば、案内部４４の上端中央に切欠部４８が設けられているので、綿氷でスリット４４ａが閉塞した際に、切欠部４８からオーバーフローした製氷水が、案内部４４の外面中央および製氷板１８の製氷面中央を伝って流下するから、製氷水が突条部２０に伝うことをより確実に防止できる。なお、図６および図７において、実施例の構成と同様な部材および構成は、実施例と同一符号を付して、説明を省略する。
【００３２】
(２)実施例では、製氷部として、一対の製氷板を蒸発管を挟んで対向配置した構成で説明したが、例えば１枚の製氷板の裏面に蒸発管を蛇行配置したものであってもよい。
(３)変更例(１)では、案内部の上端に１の切欠部を設けた例を挙げたが、案内部の上端に複数の切欠部を設ける構成も採用できる。また、切欠部は被覆部より離して案内部の上端に設ければ、案内部の上端中央ではなく、被覆部側に偏倚した位置に設けてもよい。
(４)切欠部は、被覆部の上端からの位置および案内部の上端での幅を、部位毎に変えてもよい。
【図面の簡単な説明】
【００３３】
【図１】本発明の好適な実施例に係る散水案内器を備えた流下式製氷機を示す側断面図である。
【図２】実施例の散水案内器を設けた製氷ユニットの正面図である。
【図３】実施例の散水案内器を設けた製氷ユニットを示す側断面図である。
【図４】実施例の散水案内器を部分的に示す斜視図である。
【図５】実施例の散水案内器を組付けた製氷ユニットの要部を示す斜視図である。
【図６】変更例の散水案内器を示す斜視図である。
【図７】変更例の散水案内器を設けた製氷ユニットを示す正面図である。
【図８】従来の散水案内器を設けた製氷ユニットの要部を示す斜視図である。
【図９】従来の散水案内器を設けた製氷ユニットを示す側断面図である。
【符号の説明】
【００３４】
１８ 製氷板，２０ 突条部，２２ａ 製氷面，２６ 製氷水タンク，４２ 被覆部
４４ 案内部，４４ａ スリット，４８ 切欠部，Ｍ 氷塊
【図１】
2008292021.tif 000003
【図２】
2008292021.tif 000004
【図３】
2008292021.tif 000005
【図４】
2008292021.tif 000006
【図５】
2008292021.tif 000007
【図６】
2008292021.tif 000008
【図７】
2008292021.tif 000009
【図８】
2008292021.tif 000010
【図９】
2008292021.tif 000011